【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
スイッチモード電源モジュールにおけるスイッチング動作を制御する方法であって、前記スイッチモード電源モジュールは装置要素に電力を供給するよう意図され、当該方法は：
前記スイッチモード電源内の測定モジュールにより負荷電流を測定するステップと、
測定された負荷電流を、比較器モジュールにより、所定の負荷電流閾値と比較するステップと、
前記測定された負荷電流が第１の期間にわたって前記所定の負荷電流閾値より小さい場合に、前記負荷電流の測定値が前記所定の負荷電流閾値より大きくなるまで、コントローラにより、前記スイッチモード電源モジュールの前記スイッチング動作を、前記スイッチング動作が第２の期間にわたって非アクティブ化される前記スイッチング動作の反復的な非アクティブ化及びアクティブ化によって制御するステップと
を有する、方法。
【請求項２】
前記スイッチモード電源モジュールは２つの導電体によって前記装置要素に接続される、ことを特徴とする請求項１に記載の方法。
【請求項３】
前記第１の期間はアンチトランジェントフィルタの時定数によって定められる、ことを特徴とする請求項１又は２に記載の方法。
【請求項４】
前記第２の期間は前記電源のフィルタ回路の時定数によって定められる、ことを特徴とする請求項１又は２に記載の方法。
【請求項５】
前記第２の期間は前記電源の二次側に固有のバルクキャパシタの時定数によって定められる、ことを特徴とする請求項１乃至３の何れかに記載の方法。
【請求項６】
前記負荷電流を測定するステップは、前記スイッチモード電源モジュールの二次側巻線の端子における平均整流電圧に比例した電圧を生成することを有する、ことを特徴とする請求項１乃至５の何れかに記載の方法。
【請求項７】
スイッチモード電源モジュールにおけるスイッチング動作を制御する装置であって、前記スイッチモード電源モジュールは装置要素に電力を供給するよう意図され、当該装置は：
負荷電流を測定する回路と、
測定された負荷電流を所定の負荷電流閾値と比較する回路と、
前記スイッチング動作を制御する回路であり、前記測定された負荷電流が第１の期間にわたって前記所定の負荷電流閾値より小さい場合に、前記スイッチング動作を周期的に中断し、前記スイッチング動作は第２の期間にわたって中断され、前記測定された負荷電流が前記所定の負荷電流閾値より大きい場合に、前記スイッチング動作を維持する、回路と
を有する、装置。
【請求項８】
前記第１の期間はアンチトランジェントフィルタの時定数によって定められる、ことを特徴とする請求項７に記載の装置。
【請求項９】
前記第２の期間は前記電源のフィルタ回路の時定数によって定められる、ことを特徴とする請求項７又は８に記載の装置。
【請求項１０】
前記第２の期間は前記電源の二次側に固有のバルクキャパシタの時定数によって定められる、ことを特徴とする請求項７又は８に記載の装置。
【請求項１１】
巻線を有する変圧器と、
前記変圧器に結合され且つスイッチモード制御信号に応答する電力スイッチであり、前記変圧器内に周期的な電圧パルスを生成する電力スイッチと、
前記変圧器に結合され、前記周期的な電圧パルスを整流して、負荷回路に結合される第１の整流された電圧を生成する第１の整流器であり、前記第１の整流された電圧は、前記負荷回路内に負荷電流を生成する、第１の整流器と、
前記巻線内の周期的な電圧パルスを整流する第２の整流器であり、該第２の整流器の出力に第２の整流された電圧パルスを生成する第２の整流器と、
前記第１の整流された電圧に応答して、前記電力スイッチに結合される前記スイッチモード制御信号を生成する制御回路であり、前記負荷電流の減少が起こるときに、前記第２の整流器の前記出力における前記第２の整流された電圧パルスのうちの所与の電圧パルスの平均値が低下するように、前記第１の整流された電圧を調整する制御回路と、
前記第２の整流器の前記出力における前記第２の整流された電圧パルスに応答して、前記第２の整流器の前記出力における前記第２の整流された電圧パルスのうちの所与の電圧パルスの前記平均値を指し示す大きさを有する出力信号を生成するセンサと、
前記電力スイッチに結合され且つ前記センサの前記出力信号に応答する比較器であり、前記センサの前記出力信号の前記大きさに従って、周期的に、前記電力スイッチが前記変圧器内に前記周期的な電圧パルスを生成しないようにする比較器と、
を有するスイッチモード電源。
【請求項１２】
前記電力スイッチは、発光ダイオードを有し、
前記第１の整流器は、第１の整流器キャパシタを有し、
前記比較器は比較器出力スイッチを有し、該比較器出力スイッチは、前記第１の整流器キャパシタに蓄えられた電力がもはや前記発光ダイオードによる発光に十分でないものになるまで、前記発光ダイオードに発光させて前記電力スイッチを停止させるように、前記第１の整流器キャパシタに蓄えられた電力を前記電力スイッチの前記発光ダイオードに供給することによって、前記電力スイッチを停止させる、
請求項１１に記載のスイッチモード電源。
【請求項１３】
巻線を有する変圧器を含んだスイッチモード電源におけるスイッチング動作を周期的に中断させる方法であって、前記変圧器は、スイッチモード制御信号に応答する電力スイッチに結合され、当該方法は、
前記変圧器内に周期的な電圧パルスを生成し、
前記周期的な電圧パルスを整流して、負荷回路に結合される第１の整流された電圧を生成し、前記第１の整流された電圧は、前記負荷回路内に負荷電流を生成し、
前記巻線内の前記周期的な電圧パルスを整流して、第２の整流器の出力に第２の整流された電圧パルスを生成し、
前記負荷電流の減少が起こるときに、前記第２の整流器の前記出力における前記第２の整流された電圧パルスのうちの所与の電圧パルスの平均値が低下するように、前記電力スイッチに結合される前記スイッチモード制御信号を生成して前記第１の整流された電圧を調整し、
前記第２の整流された電圧パルスに応答して、前記第２の整流器の前記出力における前記第２の整流された電圧パルスのうちの所与の電圧パルスの前記平均値を指し示す大きさを有する出力信号を生成し、且つ
前記出力信号の前記大きさに従って、周期的に、前記電力スイッチが前記変圧器内に前記周期的な電圧パルスを生成しないようにする
ことを有する、方法。
【請求項１４】
前記電力スイッチが前記変圧器内に前記周期的な電圧パルスを生成しないようにすることは、前記第１の整流された電圧を生成する第１の整流器キャパシタに蓄えられた電力を発光ダイオードに供給して、前記第１の整流器キャパシタに蓄えられた電力がもはや前記発光ダイオードによる発光に十分でないものになるまで、前記発光ダイオードに発光させて前記電力スイッチを停止させることを有する、請求項１３に記載の方法。
【手続補正２】
【補正対象書類名】明細書
【補正対象項目名】００４０
【補正方法】変更
【補正の内容】
【００４０】
図４に示した回路は、２本の導電体を介して装置２に電力供給するように意図されたスイッチモード電源モジュール１におけるスイッチング動作の制御を、装置２からの制御信号又は制御メッセージに頼ることなく可能にする装置を記述している。方法での使用は、スイッチモード電源モジュール１内の装置１０００による負荷電流（電源出力にて装置２に届けられる電流）の測定と、測定された負荷電流の所定の負荷電流閾値との比較とを含む。この方法によれば、測定された負荷電流が第１の期間にわたって所定の負荷電流閾値より低い場合、スイッチモード電源モジュールのスイッチング動作の制御は、負荷電流の測定値が再び所定の負荷電流閾値より高くなるまで、スイッチング動作の反復的（周期的）なアクティブ化及び第２の期間にわたる非アクティブ化を発動させる。
【手続補正３】
【補正対象書類名】明細書
【補正対象項目名】００５０
【補正方法】変更
【補正の内容】
【００５０】
当然ながら、本発明は上述の実施形態に限定されるものではない。本発明はまた、電源モジュール内に統合され、無負荷又は非常に低い負荷のみが存在する場合に電力消費を低減するようにスイッチング動作を制御する目的で、制御信号又はメッセージに頼ることなく自律的に動作可能な、全ての負荷電流測定回路に関する。
（付記１）  スイッチモード電源モジュールにおけるスイッチング動作を制御する方法であって、前記スイッチモード電源モジュールは装置要素に電力を供給するよう意図され、当該方法は：
前記スイッチモード電源内の測定モジュールにより負荷電流を測定するステップと、
測定された負荷電流を、比較器モジュールにより、所定の負荷電流閾値と比較するステップと、
前記測定された負荷電流が第１の期間にわたって前記所定の負荷電流閾値より小さい場合に、前記負荷電流の測定値が前記所定の負荷電流閾値より大きくなるまで、コントローラにより、前記スイッチモード電源モジュールの前記スイッチング動作を、前記スイッチング動作の反復的なアクティブ化及び第２の期間にわたる非アクティブ化によって制御するステップと
を有する、方法。
（付記２）  前記スイッチモード電源モジュールは２つの導電体によって前記装置要素に接続される、ことを特徴とする付記１に記載の方法。
（付記３）  前記第１の期間はアンチトランジェントフィルタの時定数によって定められる、ことを特徴とする付記１又は２に記載の方法。
（付記４）  前記第２の期間は前記電源のフィルタ回路の時定数によって定められる、ことを特徴とする付記１又は２に記載の方法。
（付記５）  前記第２の期間は前記電源の二次側に固有のバルクキャパシタの時定数によって定められる、ことを特徴とする付記１乃至３の何れかに記載の方法。
（付記６）  前記負荷電流を測定するステップは、前記スイッチモード電源モジュールの二次側巻線の端子における平均整流電圧に比例した電圧を生成することを有する、ことを特徴とする付記１乃至５の何れかに記載の方法。
（付記７）  スイッチモード電源モジュールにおけるスイッチング動作を制御する装置であって、前記スイッチモード電源モジュールは装置要素に電力を供給するよう意図され、当該装置は：
負荷電流を測定する回路と、
測定された負荷電流を所定の負荷電流閾値と比較する回路と、
前記スイッチング動作を制御する回路であり、前記測定された負荷電流が第１の期間にわたって前記所定の負荷電流閾値より小さい場合に、前記スイッチング動作を周期的に第２の期間にわたって中断し、前記測定された負荷電流が前記所定の負荷電流閾値より大きい場合に、前記スイッチング動作を維持する、回路と
を有する、装置。
（付記８）  前記第１の期間はアンチトランジェントフィルタの時定数によって定められる、ことを特徴とする付記７に記載の装置。
（付記９）  前記第２の期間は前記電源のフィルタ回路の時定数によって定められる、ことを特徴とする付記７又は８に記載の装置。
（付記１０）  前記第２の期間は前記電源の二次側に固有のバルクキャパシタの時定数によって定められる、ことを特徴とする付記７又は８に記載の装置。
（付記１１）  前記負荷電流を測定する回路は、前記スイッチモード電源モジュールの二次側巻線の端子における平均整流電圧に比例した電圧を生成する回路を有する、ことを特徴とする付記７乃至１０の何れかに記載の装置。
（付記１２）  前記スイッチモード電源モジュールは２つの導電体によって前記装置要素に接続される、ことを特徴とする付記７に記載の装置。